(57)【要約】【課題】内部における作動液の流れを改善することができるマスタシリンダを提供すること。【解決手段】マスタシリンダ２は、第一マスタピストン２２及び第二マスタピストン２３の先端部分に、第一マスタピストン２２及び第二マスタピストン２３がシリンダ本体２１に対して第一位置にある場合にポート２１ａ，２１ｃと第一液圧室Ａ及び第二液圧室Ｂとを連通し、シリンダ本体２１に対して第一位置よりも前進した第二位置にある場合に前方側シール部材２１３によりポート２１ａ，２１ｃと第一液圧室Ａ及び第二液圧室Ｂとの連通が遮断されるように、軸線方向に沿って延設され、且つ、周壁部２２１ｂ，２３１ｂの周方向に沿って配置された複数の連通路２２３及び連通路２３３と、周方向に沿って延設されて複数の連通路２２３，２３３を接続する接続路２２５及び接続路２３５と、を有する。【選択図】図２
2020055398.tif 000002
【特許請求の範囲】
【請求項１】
一端が閉塞し且つ他端が開口したシリンダ本体と、
前記シリンダ本体の内部に前記シリンダ本体の軸線方向に沿って摺動可能に収容され、且つ、前記シリンダ本体の内周面と共に液圧室を区画する底壁部及び前記底壁部に連結された周壁部を有する有底筒状のマスタピストンと、
前記シリンダ本体に設けられて、作動液を貯留するリザーバタンクに連通するポートと、
前記マスタピストンの前記周壁部における先端部分と前記ポートとの間に配置されて、前記シリンダ本体の内周面と前記マスタピストンの前記先端部分を含む外周面との間をシールするシール部材と、を備えたマスタシリンダであって、
前記先端部分に、
前記マスタピストンが前記シリンダ本体に対して第一位置にある場合に前記ポートと前記液圧室とを連通し、前記マスタピストンが前記シリンダ本体に対して前記第一位置よりも前進した第二位置にある場合に前記シール部材により前記ポートと前記液圧室との連通が遮断されるように、前記軸線方向に沿って延設され、且つ、前記周壁部の周方向に沿って配置された複数の連通路と、
前記周方向に沿って延設されて前記複数の前記連通路を接続する接続路と、を有する、マスタシリンダ。
【請求項２】
二つ以上の前記連通路ごとに前記周方向において互いに離間するように配置され、且つ、前記軸線方向に沿って延設されて、前記接続路を前記周方向に沿って区画すると共に前記第一位置にて前記シール部材を支持し、前記第二位置にて前記先端部分の前記外周面を前記シリンダ本体の前記内周面に対して案内するガイド部を有する、請求項１に記載のマスタシリンダ。
【請求項３】
前記接続路は、
前記先端部分のうち前記周壁部の先端に設けられる、請求項１又は請求項２に記載のマスタシリンダ。
【請求項４】
前記連通路の前記周方向における幅は、前記接続路に向けて広くなる、請求項３に記載のマスタシリンダ。
【発明の詳細な説明】
【技術分野】
【０００１】
本発明は、マスタシリンダに関する。
【背景技術】
【０００２】
従来から、例えば、下記特許文献１に開示された制御付ブレーキシステム用マスタシリンダ（以下、単に「従来のマスタシリンダ」と称呼する。）が知られている。この従来のマスタシリンダは、ハウジングと、ハウジング内を移動可能な少なくとも一つのピストンと、ピストンを液圧室から密封するシール部材と、ピストンに形成されていて液圧室と加圧されていないリザーバタンクとを接続可能な制御通路と、を備えている。
【先行技術文献】
【特許文献】
【０００３】
【特許文献１】特許第５９７６５４５号公報
【発明の概要】
【発明が解決しようとする課題】
【０００４】
近年、車両においては、運転者によるブレーキ操作に拘わらず、自動的に車両を制動する自動ブレーキ機能が搭載される場合がある。この自動ブレーキ機能においては、マスタシリンダよりも下流側に設けられたポンプによってマスタシリンダの液圧室の作動液が吸引されて、吸引された作動液が加圧されて各車輪のホイールシリンダに供給される。このような自動ブレーキ機能においては、ポンプがマスタシリンダから作動液を速やかに且つ必要十分な量を吸引して、制動力を発生させる際の応答性を高める必要がある。
【０００５】
ところで、上記従来のマスタシリンダにおいては、制御通路を流れる作動液に発生する流動抵抗を低減することにより、下流側にて作動液が吸引された場合にリザーバタンクに貯留された作動液を制御通路を介して下流側に供給するようになっている。このような作動液の吸い込み性については、更に改善する必要がある。
【０００６】
本発明は、上記課題を解決するためになされたものである。即ち、本発明の目的は、内部における作動液の流れを改善することができるマスタシリンダを提供することにある。
【課題を解決するための手段】
【０００７】
上記の課題を解決するため、本発明に係るマスタシリンダは、一端が閉塞し且つ他端が開口したシリンダ本体と、シリンダ本体の内部にシリンダ本体の軸線方向に沿って摺動可能に収容され、且つ、シリンダ本体の内周面と共に液圧室を区画する底壁部及び底壁部に連結された周壁部を有する有底筒状のマスタピストンと、シリンダ本体に設けられて、作動液を貯留するリザーバタンクに連通するポートと、マスタピストンの周壁部における先端部分とポートとの間に配置されて、シリンダ本体の内周面とマスタピストンの先端部分を含む外周面との間をシールするシール部材と、を備えたマスタシリンダであって、先端部分に、マスタピストンがシリンダ本体に対して第一位置にある場合にポートと液圧室とを連通し、マスタピストンがシリンダ本体に対して第一位置よりも前進した第二位置にある場合にシール部材によりポートと液圧室との連通が遮断されるように、軸線方向に沿って延設され、且つ、周壁部の周方向に沿って配置された複数の連通路と、周方向に沿って延設されて複数の連通路を接続する接続路と、を有する。
【０００８】
これによれば、マスタピストンの先端部分にて周方向に沿って複数設けられた連通路は、周方向に沿って延設された接続路によって接続される。これにより、マスタピストンの先端部分においては、ポート（リザーバタンク）から連通路を介して液圧室に流れる作動液の流路断面積が接続路によって拡大される。従って、リザーバタンクと液圧室との間における作動液の流れがスムーズとなるように改善することができる。
【０００９】
その結果、マスタシリンダを車両のブレーキ装置に適用した場合において、自動ブレーキ機能によって車両のブレーキ装置のポンプがマスタシリンダの液圧室に存在する作動液を吸引する際、即ち、液圧室の液圧が低下した際には、速やかに且つ必要十分な量の作動液を吸引することができる。従って、車両のブレーキ装置においては、自動ブレーキ機能作動時におけるポンプ圧をホイールシリンダに供給して制動力を発生させる際の応答性を高めることが可能となる。
【図面の簡単な説明】
【００１０】
【図１】本発明の実施形態に係るマスタシリンダが設けられるブレーキ装置の構成を示す図である。
【図２】図１のマスタシリンダの構成を示す断面図である。
【図３】図２のマスタピストンの構成を示す斜視図である。
【図４】第一変形例に係るマスタピストンの構成を示す斜視図である。
【図５】第二変形例に係るマスタピストンの構成を示す斜視図である。
【図６】その他の変形例に係る連通路及び接続路を説明するための断面図である。
【発明を実施するための形態】
【００１１】
以下、本発明の実施形態について図面を参照しながら説明する。尚、以下の実施形態及び各変形例の相互において、互いに同一もしくは均等である部分には、図中、同一符号を付してある。又、説明に用いる各図は概念図であり、各部の形状は必ずしも厳密なものではない場合がある。
【００１２】
本実施形態における車両のブレーキ装置１は、図１に示すように、マスタシリンダ２、ブレーキブースタ３、ホイールシリンダ４、ブレーキアクチュエータ５及びリザーバタンク６を備えている。マスタシリンダ２は、後に詳述するように、シリンダ本体２１、及び、マスタピストンとしての第一マスタピストン２２及び第二マスタピストン２３と、を含んで構成されている。ブレーキブースタ３は、例えば、負圧式の倍力装置であり、運転者による踏力を倍力して第一マスタピストン２２及び第二マスタピストン２３に伝達する。
【００１３】
ホイールシリンダ４は、各輪に設けられたホイールシリンダ４１、ホイールシリンダ４２、ホイールシリンダ４３及びホイールシリンダ４４から構成される。各ホイールシリンダ４１〜４４は、ブレーキアクチュエータ５（以下、単に「アクチュエータ５」とも称呼する。）を介して、マスタシリンダ２に接続されている。ホイールシリンダ４１は、車両の左後輪ＲＬに配置されている。ホイールシリンダ４２は、車両の右後輪ＲＲに配置されている。ホイールシリンダ４３は、車両の左前輪ＦＬに配置されている。ホイールシリンダ４４は、車両の右前輪ＦＲに配置されている。これにより、ホイールシリンダ４は、作動液としてのブレーキフルードがマスタシリンダ２又は後述するポンプによって加圧されてアクチュエータ５を介して供給されると、左後輪ＲＬ、右後輪ＲＲ、左前輪ＦＬ及び右前輪ＦＲに制動力を発生させる。
【００１４】
アクチュエータ５は、詳細な図示を省略するが、各ホイールシリンダ４１〜４４に対応して設けられた管路、電磁弁及び逆止弁等を有している。これにより、アクチュエータ５は、図示を省略する制御装置（マイクロコンピュータ）によって電磁弁が連通状態又は遮断状態に切替制御されると、マスタシリンダ２によって加圧されたブレーキフルードを各ホイールシリンダ４１〜４４に供給したり、内蔵するポンプによって加圧されたブレーキフルードを調圧して各ホイールシリンダ４１〜４４に供給したりする。尚、アクチュエータ５の作動については、本発明に直接関係しないので、その詳細な説明を省略する。
【００１５】
車両のブレーキ装置１においては、運転者がブレーキペダル７を踏み込むと、マスタシリンダ２に気密的に連結された負圧式のブレーキブースタ３により踏力が倍力され、シリンダ本体２１内の第一マスタピストン２２及び第二マスタピストン２３が押圧される。押圧された第一マスタピストン２２及び第二マスタピストン２３は、例えば、車両前後方向（軸線方向）にて前方に向けて前進し、それぞれ、マスタシリンダ２（より詳しくはシリンダ本体２１）の内部にリザーバタンク６から供給されたブレーキフルードを加圧する。これにより、マスタシリンダ２においては、マスタシリンダ圧が発生し、マスタシリンダ圧がアクチュエータ５を介して各ホイールシリンダ４１〜４４に供給（伝達）される。
【００１６】
又、車両のブレーキ装置１においては、例えば、自動ブレーキ機能の作動時や、走行中又は制動時の車両の挙動を修正するために、アクチュエータ５に内蔵したポンプを作動させる。これにより、ポンプは、例えば、自動ブレーキ機能の作動時においては、マスタシリンダ２を介してリザーバタンク６に貯留されているブレーキフルードを吸引し、吸引したブレーキフルードを加圧してポンプ圧を発生させる。そして、ポンプ圧は、アクチュエータ５によって調圧されて、各ホイールシリンダ４１〜４４に供給（伝達）される。
【００１７】
（１．マスタシリンダ２の構成の詳細）
マスタシリンダ２は、図２に示すように、マスタピストンである第一マスタピストン２２及び第二マスタピストン２３を摺動可能に収容するシリンダ本体２１を備えている。シリンダ本体２１は、一端が底部２１１を有して閉塞し且つ一端が開口した有底筒状のシリンダである。シリンダ本体２１の開口側には、ブレーキブースタ３が気密的に連結される（図１を参照）。
【００１８】
ここで、以下の説明では、シリンダ本体２１の軸線方向即ち車両前後方向において、シリンダ本体２１の底部２１１側を「前方」とし、シリンダ本体２１の開口側を「後方」とする。又、第一マスタピストン２２及び第二マスタピストン２３は、ブレーキペダル７が操作されていない場合にはマスタシリンダ２（シリンダ本体２１）に対して原位置から前進していない「第一位置」にある。更に、第一マスタピストン２２及び第二マスタピストン２３は、ブレーキペダル７が操作された場合には第一位置から前進した「第二位置」にある。
【００１９】
図２に示すように、シリンダ本体２１の内周面２１２には、周方向に沿って形成された収容溝２１２ａが、シリンダ本体２１の軸線方向に沿って第一マスタピストン２２及び第二マスタピストン２３のそれぞれに対応して二つずつ、計四つ設けられている。尚、以下の説明において、特に区別する場合、第一マスタピストン２２及び第二マスタピストン２３のそれぞれに対して前方側の収容溝２１２ａを「前方側収容溝２１２ａ」と称呼し、第一マスタピストン２２及び第二マスタピストン２３のそれぞれに対して後方側の収容溝２１２ａを「後方側収容溝２１２ａ」と称呼する。
【００２０】
前方側収容溝２１２ａには、シール部材である前方側シール部材２１３が収容される。又、後方側収容溝２１２ａには、後方側シール部材２１４が収容される。前方側シール部材２１３及び後方側シール部材２１４は、弾性部材（例えば、ゴム材料）から形成されており、例えば、一端が開放された断面形状としてＵ字状のカップシールである。前方側シール部材２１３及び後方側シール部材２１４の外周縁は、収容溝２１２ａの底面（内周面）と当接する。
【００２１】
前方側シール部材２１３の内周縁は、第一マスタピストン２２及び第二マスタピストン２３が第一位置にある場合には、後述する連通路２２３及び連通路２３３とガイド部２２４及びガイド部２３４と接続路２２５及び接続路２３５とが形成される先端部分における外周面と当接する。これにより、前方側シール部材２１３は、後述するように、連通路２２３，２３３を介したブレーキフルードの流動を許容する。
【００２２】
又、前方側シール部材２１３の内周縁は、第一マスタピストン２２及び第二マスタピストン２３が第二位置にある場合には、第一マスタピストン２２及び第二マスタピストン２３の先端部分よりも後方の外周面と当接する。これにより、前方側シール部材２１３は、連通路２２３，２３３を介したブレーキフルードの流動を禁止する。
【００２３】
後方側シール部材２１４の内周縁は、第一マスタピストン２２及び第二マスタピストン２３の第一位置及び第二位置に拘わらず、第一マスタピストン２２及び第二マスタピストン２３の先端部分よりも後方の外周面と当接する。従って、後方側シール部材２１４は、常に、ブレーキフルードの流動を禁止する。
【００２４】
第一マスタピストン２２は、ブレーキブースタ３に気密的に連結されており、シリンダ本体２１の内部にて同軸的且つ軸線方向（即ち、車両前後方向）に沿って前進及び後進可能に配置されている。第一マスタピストン２２は、図２に示すように、本体部２２１と、突出部２２２と、連通路２２３と、ガイド部２２４と、接続路２２５と、から構成されている。
【００２５】
本体部２２１は、前方に位置する先端が開口する有底筒状（中空状）に形成されており、後方に設けられた底壁部２２１ａと、底壁部２２１ａに連結された周壁部２２１ｂと、から構成されている。突出部２２２は、本体部２２１の底壁部２２１ａの端面から後方に突出した円筒状の部分である。突出部２２２は、ブレーキブースタ３の内部に気密的に収容されている。突出部２２２の後方端部は、ブレーキブースタ３の図示を省略する入力部材と当接して押圧されるようになっている。
【００２６】
連通路２２３は、図３に示すように、本体部２２１の先端にて周方向に沿って複数設けられている。連通路２２３は、軸線方向（即ち、車両前後方向）に沿って溝状に形成されている。連通路２２３の軸線方向（即ち、車両前後方向）にて後方の基端２２３ａは、第一マスタピストン２２が第一位置にある場合において、図３にて破線により示す前方側シール部材２１３の内周縁におけるシール線よりも後方となるように形成される。又、連通路２２３の軸線方向（即ち、車両前後方向）にて前方の先端２２３ｂは、前方側シール部材２１３のシール線よりも前方となるように形成される。尚、基端２２３ａは、第一マスタピストン２２が第二位置にある場合において、前方側シール部材２１３のシール線よりも前方となる。
【００２７】
ガイド部２２４は、図３に示すように、第一マスタピストン２２の本体部２２１の外径と同一の外径を有しており、本体部２２１の先端まで軸線方向に沿って延設されている。これにより、ガイド部２２４は、前進又は後進する第一マスタピストン２２の先端をシリンダ本体２１の内周面２１２に対して案内する。ガイド部２２４は、周方向に沿って互いに離間して、即ち、複数（図３にて二つ）の連通路２２３を挟むように形成される。
【００２８】
接続路２２５は、複数（図３にて二つ）の連通路２２３を先端２２３ｂにて連通し、連通路２２３同士を接続するものである。接続路２２５は、第一マスタピストン２２の本体部２２１の外径よりも小径で本体部２２１の先端にて周方向に沿って形成されており、ガイド部２２４によって区画されている。
【００２９】
本体部２２１の周壁部２２１ｂの内部には、スプリング２２６が収容されている。スプリング２２６は、一端が第一マスタピストン２２の底壁部２２１ａに当接し、且つ、他端が第二マスタピストン２３（より詳しくは、後述する底壁部２３１ａ）に当接するように収容されている。スプリング２２６は、第一液圧室Ａの液圧を増大させるように軸線方向（即ち、車両前後方向）に沿って前進した第一マスタピストン２２を軸線方向（即ち、車両前後方向）に沿って後退させるように付勢力を付与する。
【００３０】
第二マスタピストン２３は、シリンダ本体２１の内部において、第一マスタピストン２２の前方にて同軸的且つ軸線方向（即ち、車両前後方向）に沿って前進及び後進可能に配置されている。第二マスタピストン２３は、図２に示すように、本体部２３１と、突出部２３２と、連通路２３３と、ガイド部２３４と、接続路２３５と、から構成されている。
【００３１】
本体部２３１は、シリンダ本体２１の底部２１１に対向する先端が開口する有底筒状（中空状）に形成されており、後方に設けられた底壁部２３１ａと、底壁部２３１ａに連結された周壁部２３１ｂと、から構成されている。突出部２３２は、本体部２３１の底壁部２３１ａの端面から後方に突出した円筒状の部分である。
【００３２】
連通路２３３は、図３に示すように、本体部２３１の先端にて周方向に沿って複数設けられている。連通路２３３は、軸線方向（即ち、車両前後方向）に沿って溝状に形成されている。連通路２３３の軸線方向（即ち、車両前後方向）にて後方の基端２３３ａは、第二マスタピストン２３が第一位置にある場合において、図３にて破線により示す前方側シール部材２１３の内周縁におけるシール線よりも後方となるように形成される。又、連通路２３３の軸線方向（即ち、車両前後方向）にて前方の先端２３３ｂは、前方側シール部材２１３のシール線よりも前方となるように形成される。尚、基端２３３ａは、第二マスタピストン２３が第二位置にある場合において、前方側シール部材２１３のシール線よりも前方となる。
【００３３】
ガイド部２３４は、図３に示すように、第二マスタピストン２３の本体部２３１の外径と同一の外径を有しており、本体部２３１の先端まで軸線方向に沿って延設されている。これにより、ガイド部２３４は、前進又は後進する第二マスタピストン２３の先端をシリンダ本体２１の内周面２１２に対して案内する。ガイド部２３４は、周方向に沿って互いに離間して、即ち、複数（図３にて二つ）の連通路２３３を挟むように形成される。
【００３４】
接続路２３５は、複数（図３にて二つ）の連通路２３３を先端２３３ｂにて連通し、連通路２３３同士を接続するものである。接続路２３５は、第二マスタピストン２３の本体部２３１の外径よりも小径で本体部２３１の先端にて周方向に沿って形成されており、ガイド部２３４によって区画されている。
【００３５】
本体部２３１の周壁部２３１ｂの内部には、スプリング２３６が収容されている。スプリング２３６は、一端が第二マスタピストン２３の底壁部２３１ａに当接し、且つ、他端がシリンダ本体２１の底部２１１に当接するように収容されている。スプリング２３６は、第二液圧室Ｂの液圧を増大させるように軸線方向（即ち、車両前後方向）に沿って前進した第二マスタピストン２３を軸線方向（即ち、車両前後方向）に沿って後退させるように付勢力を付与する。
【００３６】
ここで、第一マスタピストン２２の本体部２２１を形成する底壁部２２１ａ及び周壁部２２１ｂの内面と、シリンダ本体２１の内周面２１２と、第一マスタピストン２２に対応する前方側シール部材２１３と、第二マスタピストン２３を形成する底壁部２３１ａ及び突出部２３２の内面と、第二マスタピストン２３に対応する後方側シール部材２１４と、によって「第一液圧室Ａ」が区画される。又、第二マスタピストン２３の本体部２３１を形成する底壁部２３１ａ及び周壁部２３１ｂの内面と、シリンダ本体２１の内周面２１２及び底部２１１（閉塞端）と、第二マスタピストン２３に対応する前方側シール部材２１３と、によって「第二液圧室Ｂ」が区画される。
【００３７】
マスタシリンダ２のシリンダ本体２１には、内部と外部とを連通するポート２１ａ、ポート２１ｂ、ポート２１ｃ及びポート２１ｄが形成されている。以下、各ポート２１ａ〜ポート２１ｄを具体的に説明する。
【００３８】
ポート２１ａは、図２に示すように、第一マスタピストン２２に対応する前方側シール部材２１３及び後方側シール部材２１４の間に形成されており、リザーバタンク６とシリンダ本体２１の内部とを連通している。そして、ポート２１ａは、第一マスタピストン２２に形成された連通路２２３及び接続路２２５を介して第一液圧室Ａに連通可能となっている。ポート２１ｂは、第一液圧室Ａとアクチュエータ５（図１を参照）とを連通する。
【００３９】
ポート２１ｃは、図２に示すように、第二マスタピストン２３に対応する前方側シール部材２１３及び後方側シール部材２１４の間に形成されており、リザーバタンク６とシリンダ本体２１の内部とを連通している。そして、ポート２１ｃは、第二マスタピストン２３に形成された連通路２３３及び接続路２３５を介して第二液圧室Ｂに連通可能となっている。ポート２１ｄは、第二液圧室Ｂとアクチュエータ５（図１を参照）とを連通する。
【００４０】
（２．マスタシリンダ２の作動について）
次に、マスタシリンダ２の作動について具体的に説明する。車両のブレーキ装置１が自動ブレーキ機能により作動する場合、アクチュエータ５に内蔵されたポンプは、第一液圧室Ａ及び第二液圧室Ｂに存在しているブレーキフルードを吸引する。そして、ポンプはブレーキフルードをポンプ圧まで加圧し、アクチュエータ５が調圧して各ホイールシリンダ４１〜４４に供給（伝達）する。これにより、各ホイールシリンダ４１〜４４は、それぞれ、対応する車輪ＲＬ〜ＦＲに制動力を発生させる。
【００４１】
このように、マスタシリンダ２の下流側に配置されたポンプがブレーキフルードを吸引すると、第一液圧室Ａ及び第二液圧室Ｂの液圧は基準液圧よりも低下し、例えば、負圧になる。ところで、自動ブレーキ機能によってポンプが作動する場合、第一マスタピストン２２及び第二マスタピストン２３は、第一位置（原位置）にある。第一マスタピストン２２及び第二マスタピストン２３が第一位置にある場合、図３に示すように、連通路２２３の基端２２３ａ及び連通路２３３の基端２３３ａは、前方側シール部材２１３のシール線（図３にて破線により示す）よりも後方に位置する。即ち、第一マスタピストン２２及び第二マスタピストン２３が第一位置にある場合には、連通路２２３はポート２１ａを介してリザーバタンク６と連通し、連通路２３３はポート２１ｃを介してリザーバタンク６と連通している。
【００４２】
又、本実施形態においては、二つの連通路２２３のそれぞれの先端２２３ｂは一つの接続路２２５によって接続され、二つの連通路２３３のそれぞれの先端２３３ｂは一つの接続路２３５によって接続される。これにより、二つの連通路２２３に流入したブレーキフルードは、第一マスタピストン２２の本体部２２１の先端にて周方向に沿って設けられた接続路２２５を流路端として第一液圧室Ａに流れる。同様に、二つの連通路２３３に流入したブレーキフルードは、第二マスタピストン２３の本体部２３１の先端にて周方向に沿って設けられた接続路２３５を流路端として第二液圧室Ｂに流れる。
【００４３】
即ち、二つの連通路２２３が接続路２２５によって接続されることにより、リザーバタンク６から第一液圧室Ａにブレーキフルードが流れるときの流路断面積は接続路２２５の周方向に沿った長さに比例して大きくなる。同様に、二つの連通路２３３が接続路２３５によって接続されることにより、リザーバタンク６から第二液圧室Ｂにブレーキフルードが流れるときの流路断面積は接続路２３５の周方向に沿った長さに比例して大きくなる。
【００４４】
これにより、自動ブレーキ機能によりポンプがマスタシリンダ２の第一液圧室Ａ及び第二液圧室Ｂからブレーキフルードを吸引することにより、連通路２２３，２３３及び接続路２２５，２３５を介して、リザーバタンク６からブレーキフルードが必要十分な量だけスムーズに流入する。従って、ポンプは必要十分な量のブレーキフルードを速やかに吸引してポンプ圧を増圧することができる。その結果、各ホイールシリンダ４１〜４４は、供給（伝達）されたポンプ圧に応じた制動力を各車輪ＲＬ〜ＦＲに応答性良く発生させることができる。
【００４５】
ここで、ブレーキペダル７が踏み込み操作される通常ブレーキ時においては、運転者によるブレーキペダル７に対する踏力及びブレーキブースタ３による倍力によって、第一マスタピストン２２及び第二マスタピストン２３が第一位置から第二位置に前進する。そして、第一マスタピストン２２及び第二マスタピストン２３が第二位置にある場合には、連通路２２３の基端２２３ａ及び連通路２３３の基端２３３ａは、図３にて一点鎖線により示す前方側シール部材２１３のシール線よりも前方に位置する。その結果、前方側シール部材２１３は、内周縁が全周にわたり第一マスタピストン２２の本体部２２１の外周面及び第二マスタピストン２３の本体部２３１の外周面に接触してシールする。従って、連通路２２３とポート２１ａとの連通及び連通路２３３とポート２１ｃとの連通が遮断されるため、即ち、第一液圧室Ａとリザーバタンク６との連通及び第二液圧室Ｂとリザーバタンク６との連通が遮断されるため、第一液圧室Ａ及び第二液圧室Ｂの液圧が基準液圧よりも増大する。
【００４６】
これにより、第一液圧室Ａ及び第二液圧室Ｂの液圧は、第一マスタピストン２２及び第二マスタピストン２３の前進に伴う体積の減少によって増大した状態、即ち、マスタシリンダ圧で適切に維持される。その結果、各ホイールシリンダ４１〜４４は、供給（伝達）されたマスタシリンダ圧に応じた制動力を車輪ＲＬ〜ＦＲに発生させることができる。
【００４７】
以上の説明からも理解できるように、上記実施形態のマスタシリンダ２は、シリンダ本体２１と、シリンダ本体２１の内部にてシリンダ本体２１の軸線方向（車両前後方向）に沿って摺動可能に収容されたマスタピストンとしての第一マスタピストン２２及び第二マスタピストン２３と、を備える、シリンダ本体２１は、一端が底部２１１を有して閉塞し且つ他端が開口する。第一マスタピストン２２及び第二マスタピストン２３は、シリンダ本体２１の内周面２１２と共に液圧室である第一液圧室Ａ及び第二液圧室Ｂを区画する底壁部２２１ａ、底壁部２３１ａ及び底壁部２２１ａ，２３１ａに連結された周壁部２２１ｂ、周壁部２３１ｂを有する有底筒状である。又、マスタシリンダ２は、シリンダ本体２１に設けられて、作動液であるブレーキフルードを貯留するリザーバタンク６に連通するポート２１ａ及びポート２１ｃと、第一マスタピストン２２及び第二マスタピストン２３の周壁部２２１ｂ、２３１ｂにおける先端部分とポート２１ａ，２１ｃとの間に配置されて、シリンダ本体２１の内周面２１２と第一マスタピストン２２及び第二マスタピストン２３の先端部分を含む外周面との間をシールするシール部材である前方側シール部材２１３と、を備える。
【００４８】
そして、マスタシリンダ２は、第一マスタピストン２２及び第二マスタピストン２３の先端部分に、第一マスタピストン２２（本体部２２１）及び第二マスタピストン２３（本体部２３１）がシリンダ本体２１に対して第一位置にある場合にポート２１ａ，２１ｃと第一液圧室Ａ及び第二液圧室Ｂとを連通し、第一マスタピストン２２（本体部２２１）及び第二マスタピストン２３（本体部２３１）がシリンダ本体２１に対して第一位置よりも前進した第二位置にある場合に前方側シール部材２１３によりポート２１ａ，２１ｃと第一液圧室Ａ及び第二液圧室Ｂとの連通が遮断されるように、軸線方向に沿って延設され、且つ、周壁部２２１ｂ，２３１ｂの周方向に沿って配置された複数の連通路２２３及び連通路２３３と、周方向に沿って延設されて複数の連通路２２３，２３３を接続する接続路２２５及び接続路２３５と、を有する。この場合、接続路２２５，２３５は、先端部分のうち周壁部２２１ｂ，２３１ｂの先端に設けることができる。
【００４９】
これらによれば、第一マスタピストン２２（本体部２２１）及び第二マスタピストン２３（本体部２３１）の先端部分にて周方向に沿って複数設けられた連通路２２３，２３３は、周方向に沿って延設された接続路２２５，２３５によって接続される。これにより、第一マスタピストン２２（本体部２２１）及び第二マスタピストン２３（本体部２３１）の先端部分においては、ポート２１ａ，２１ｃ（リザーバタンク６）から連通路２２３，２３３を介して第一液圧室Ａ及び第二液圧室Ｂに流れるブレーキフルードの流路断面積が接続路２２５，２３５によって拡大される。従って、リザーバタンク６と第一液圧室Ａ及び第二液圧室Ｂとの間におけるブレーキフルードの流れがスムーズとなるように改善することができる。
【００５０】
その結果、マスタシリンダ２を車両のブレーキ装置１に適用した場合において、自動ブレーキ機能によって車両のブレーキ装置１のポンプがマスタシリンダ２の第一液圧室Ａ及び第二液圧室Ｂに存在するブレーキフルードを吸引する際には、リザーバタンク６から連通路２２３，２３３及び接続路２２５，２３５を介して第一液圧室Ａ及び第二液圧室Ｂにスムーズにブレーキフルードが供給されて、ポンプは速やかに且つ必要十分な量のブレーキフルードを吸引することができる。従って、車両のブレーキ装置１においては、自動ブレーキ機能作動時におけるポンプ圧をホイールシリンダ４に供給して制動力を発生させる際の応答性を高めることが可能となる。
【００５１】
この場合、二つ以上の連通路２２３，２３３ごとに周方向おいて互いに離間するように配置され、且つ、軸線方向に沿って延設されて、接続路２２５，２３５を周方向に沿って区画すると共に第一位置にて前方側シール部材２１３を支持し、第二位置にて先端部分の外周面をシリンダ本体２１の内周面２１２に対して案内するガイド部２２４，２３４を有することができる。
【００５２】
これによれば、第一マスタピストン２２及び第二マスタピストン２３が第一位置又は第二位置に向けて前進又は後進する場合であっても、ガイド部２２４，２３４は、第一マスタピストン２２及び第二マスタピストン２３を確実に案内できると共に前方側シール部材２１３を適切に支持できる。これにより、ガイド部２２４，２３４は、前方側シール部材２１３に対して連通路２２３，２３３及び接続路２２５，２３５が相対移動する際に、前方側シール部材２１３に加わる負荷を低減することができる。
【００５３】
（３．第一変形例）
上記実施形態においては、第一マスタピストン２２がガイド部２２４を有すると共に第二マスタピストン２３がガイド部２３４を有するように構成した。これに代えて、例えば、第一液圧室Ａ及び第二液圧室Ｂへのブレーキフルードの流入量を増加させる必要がある場合には、図４に示すように、ガイド部２２４及びガイド部２３４の少なくとも一方を省略して構成することも可能である。
【００５４】
この場合、ガイド部２２４，２３４の省略に伴い、第一マスタピストン２２及び第二マスタピストン２３が前進又は後進した場合、前方側シール部材２１３の支持が不安定になる虞がある。このため、例えば、上記実施形態における連通路２２３の基端２２３ａ及び連通路２３３の基端２３３ａの位置に比べて、第一変形例における連通路２２３の基端２２３ａ及び連通路２３３の基端２３３ａの位置をより後方とすることが可能である。
【００５５】
これにより、第一マスタピストン２２及び第二マスタピストン２３が第一位置にある場合において、前方側シール部材２１３が本体部２２１の周壁部２２１ｂ及び本体部２３１の周壁部２３１ｂの外周面によって支持されるため、前方側シール部材２１３を適切に支持することができる。尚、この第一変形例においては、本体部２２１の周壁部２２１ｂ及び本体部２３１の周壁部２３１ｂの外周面によって、第一マスタピストン２２及び第二マスタピストン２３が支持される。従って、この第一変形例においても、上記実施形態と同様の効果が得られる。
【００５６】
（４．第二変形例）
上記実施形態及び上記第一変形例においては、第一マスタピストン２２の連通路２２３及び第二マスタピストン２３の連通路２３３が、図３及び図４に示すように、軸線方向に沿って平行、即ち、連通路２２３，２３３の周方向における幅が一定となるように設けた。又、上記実施形態においては、第一マスタピストン２２のガイド部２２４及び第二マスタピストン２３のガイド部２３４が、図３に示すように、軸線方向に沿って平行、即ち、ガイド部２２４，２３４の周方向における幅が一定となるように設けた。
【００５７】
これに代えて、図５に示すように、連通路２２３，２３３の周方向の幅が軸線方向にて接続路２２５，２３５に向けて広くなるように設けることも可能である。又、ガイド部２２４，２３４の周方向の幅が軸線方向にて接続路２２５，２３５に向けて狭くなるように設けることも可能である。このように、連通路２２３，２３３の周方向の幅を広くし、又は（及び）、ガイド部２２４，２３４の周方向の幅が狭くなるように設けた場合においては、第一液圧室Ａ及び第二液圧室Ｂに流れるブレーキフルードの流路断面積を増大させることができる。従って、必要十分な量のブレーキフルードをスムーズに第一液圧室Ａ及び第二液圧室Ｂに流すことができ、その結果、上記実施形態及び上記第一変形例と同様の効果が得られる。
【００５８】
本発明の実施にあたっては、上記実施形態及び上記各変形例に限定されるものではなく、本発明の目的を逸脱しない限りにおいて種々の変更が可能である。
【００５９】
例えば、上記実施形態及び上記各変形例においては、図３及び図４に示すように、連通路２２３及び連通路２３３を断面形状が矩形となるように設けた。しかしながら、連通路２２３及び連通路２３３の断面形状は、矩形に限定されるものではなく、他の形状（例えば、溝の底面が円弧状）を採用可能であることは言うまでもない。この場合においても、上記実施形態及び上記各変形例と同様の効果が得られる。
【００６０】
又、上記実施形態においては、互いに隣接する二つの連通路２２３及び連通路２３３を接続するように接続路２２５及び接続路２３５を設けるようにした。この場合、接続路２２５及び接続路２３５が接続する連通路２２３及び連通路２３３の数は、二つに限定されることはなく、接続路２２５及び接続路２３５が三つ以上の複数の連通路２２３及び連通路２３３を接続するように構成することも可能である。この場合、ガイド部２２４及びガイド部２３４の数が減少するが、少なくとも、周方向に沿って四つ以上のガイド部２２４及びガイド部２３４を設けることにより、上記実施形態と同様の効果が期待できる。
【００６１】
又、上記実施形態及び上記各変形例においては、連通路２２３及び連通路２３３を第一マスタピストン２２及び第二マスタピストン２３の周方向に沿って等間隔となるように複数設けるようにした。これに代えて、連通路２２３及び連通路２３３を周方向に沿って不連続に複数設けることも可能である。
【００６２】
又、上記実施形態及び上記各変形例においては、連通路２２３及び連通路２３３の溝底面及び接続路２２５及び接続路２３５の溝底面が軸線方向（即ち、車両前後方向）に平行となるように設けられるようにした。これに代えて、図６に示すように、連通路２２３及び連通路２３３の溝底面及び接続路２２５及び接続路２３５の溝底面が先端に向けて板厚が小さくなるように傾斜させても良い。このように、傾斜を設けることによっても、ブレーキフルードの流路断面積を増大させることができ、上記実施形態及び上記各変形例と同様の効果が得られる。
【００６３】
更に、上記実施形態及び上記各変形例においては、連通路２２３及び連通路２３３が軸線方向に沿って延設された溝であるとした。これに代えて、連通路２２３及び連通路２３３の一部に本体部２２１の周壁部２２１ｂ及び本体部２３１の周壁部２３１ｂを貫通する貫通孔を設けて構成することも可能である。この場合、貫通孔の孔形状については特に限定されるものではなく、丸形状、楕円形状、角形状等を採用可能であることは言うまでもない。
【符号の説明】
【００６４】
１…車両のブレーキ装置、２…マスタシリンダ、２１…シリンダ本体、２１ａ〜２１ｄ…ポート、２１１…底部、２１２…内周面、２１２ａ…収容溝、２１３…前方側シール部材（シール部材）、２１４…後方側シール部材（シール部材）、２２…第一マスタピストン、２２１…本体部、２２１ａ…底壁部、２２１ｂ…周壁部、２２２…突出部、２２３…連通路、２２３ａ…基端、２２３ｂ…先端、２２４…ガイド部、２２５…接続路、２２６…スプリング、２３…第二マスタピストン、２３１…本体部、２３１ａ…底壁部、２３１ｂ…周壁部、２３２…突出部、２３３…連通路、２３３ａ…基端、２３３ｂ…先端、２３４…ガイド部、２３５…接続路、２３６…スプリング、３…ブレーキブースタ、４…ホイールシリンダ、５…ブレーキアクチュエータ、６…リザーバタンク、７…ブレーキペダル、Ａ…第一液圧室（液圧室）、Ｂ…第二液圧室（液圧室）
【図１】
2020055398.tif 000003
【図２】
2020055398.tif 000004
【図３】
2020055398.tif 000005
【図４】
2020055398.tif 000006
【図５】
2020055398.tif 000007
【図６】
2020055398.tif 000008